(57)【要約】【課題】  支持ブラケットに余分な加工を加えることなく、簡素な構成で支軸を確実かつ良好に支持することができるスクリーン装置を提供する点にある。【解決手段】  スクリーンを巻き取るための巻取ロール６を回転自在に支持するための支軸７Ａ，７Ｂをそれの一部が巻取ロール６の長手方向両端から突出する状態で設け、支軸７Ａ，７Ｂの突出端を左右一対の支持ブラケット５，５の貫通孔５Ａ，５Ａに挿入して支持させ、巻取ロール６を回転させることによりスクリーンを巻取自在及び引き出し自在に構成してなるスクリーン装置において、前記支軸７Ａ，７Ｂのうちの少なくとも一方を巻取ロール長手方向で移動自在で、かつ、弾性部材１９にて突出側へ付勢したことを特徴とする。【選択図】        図２
2005157158.tif 000002
【特許請求の範囲】
【請求項１】
スクリーンを巻き取るための巻取ロールを回転自在に支持するための左右の支軸を一部が該巻取ロールの長手方向両端からそれぞれ突出する状態で設け、前記左右の支軸の突出端を左右一対の支持ブラケットの貫通孔にそれぞれ挿入して支持させ、前記巻取ロールを回転させることにより前記スクリーンを巻取自在及び引き出し自在に構成してなるスクリーン装置において、前記支軸のうちの少なくとも一方を巻取ロール長手方向で移動自在で、かつ、弾性部材にて突出側へ付勢したことを特徴とするスクリーン装置。
【請求項２】
前記一方の支軸の一端側と該支軸の他端側に前記巻取ロールに一体回転可能に備えられた回転体との間にコイルスプリングを配設し、前記コイルスプリングの戻り付勢力を利用して前記巻取ロールを回転させて前記スクリーンを巻取自在に構成し、前記支軸に前記巻取ロールの回転に伴って回転する第２回転体を軸方向に移動させるための螺子部を備えさせ、前記巻取ロールの巻取側への回転により前記螺子部を移動する前記第２回転体に接当して該巻取ロールのスクリーン巻取完了位置を規制するための接当部を前記支軸に備えさせ、前記第２回転体を前記接当部に接当させた状態にすると共に前記コイルスプリングに初巻付勢力を付与した状態において前記回転体と前記第２回転体とに渡って一体回転状態で外装可能で、かつ、前記巻取ロールに一体回転状態で内装可能な筒状体を設けて、スクリーン用巻取ロール機構を構成したことを特徴とする請求項１記載のスクリーン装置。
【請求項３】
前記スクリーン用巻取ロール機構を備えた支軸とは反対側の他方の支軸の巻取ロール側に、巻取ロール長手方向に長いブレーキ手段を備えさせ、前記ブレーキ手段のケーシングを前記巻取ロール内に移動自在に内嵌し、前記ケーシングを前記弾性部材にて巻取ロール外方側へ移動付勢してなる請求項２記載のスクリーン装置。
【請求項４】
前記弾性部材がコイルスプリングからなり、前記巻取ロールの一端に、該巻取ロール長手方向外方側へ反発力が作用するようにコイルスプリングを受け止めて収容するために外方側が開放された有底筒状の収容部材を備えさせ、前記収容部材に収容されたコイルスプリングの外方側端に接当して該コイルスプリングを圧縮操作する受部とこの受部の外周縁から巻取ロールの内方側へ延出されてコイルスプリングの側部の一部を覆うと共に前記収容部材の側壁部内面に摺接案内される筒状部とからなる可動部材を該収容部材内に備えさせ、前記収容部材の受部の外面に前記支軸を突設してなる請求項１記載のスクリーン装置。
【請求項５】
前記ケーシングが巻取ロール長手方向外方側へ抜けてしまうことを阻止するための抜け止め手段を備えさせてなる請求項３記載のスクリーン装置。
【発明の詳細な説明】
【技術分野】
【０００１】
本発明は、スクリーンを巻き取るための巻取ロールを回転自在に支持するための支軸をそれの一部が該巻取ロールの長手方向両端から突出する状態で設け、前記支軸の突出端を左右一対の支持ブラケットの貫通孔に挿入して支持させ、前記巻取ロールを回転させることにより前記スクリーンを巻取自在に構成してなるスクリーン装置に関する。
【背景技術】
【０００２】
特に映写用のスクリーンをケーシング内に備えたスクリーン装置では、生地の異なるスクリーンに取り替えたい場合があり、その場合には、ケーシング内にビス止めされている左右一対の支持ブラケットのうちの一方を取り外すことにより、スクリーンが巻き取られている巻取ロールの支軸を抜くことができる。その後、新たなスクリーンが巻き取られている巻取ロールの一方の支軸の突出端をケーシング内にビス止めされている側の支持ブラケットの貫通孔に挿入してから、取り外した支持ブラケットの貫通孔に他方の支軸の突出端を挿入し、該支持ブラケットをケーシングに再度ビス止めすることによりスクリーンの取り替え作業が完了するようになっている。
しかしながら、前記方法では支持ブラケットを一々取り外してから支軸の突出端を挿入する作業と、その作業終了後に取り外した支持ブラケットをケーシングにビス止めする作業とを必要とするため、取り替え作業が手間のかかる作業になっていた。
そこで、前記支持ブラケットを取り外すことなくスクリーンの取り替え作業を容易迅速に行えるように、支持ブラケットの内面に支軸の先端に備えさせたフランジ部を下方から挿入して受け止めるための逆Ｕ字状の支持部材をビス止めし、その支持部材の上端部に、下方から挿入されたフランジ部を支持可能とした円弧状の軸受け部を、水平軸芯周りで揺動自在でかつ板バネにより支持部材にて形成されたフランジ部案内経路を閉塞するように上端部ほど支持部材の内面から離間する傾斜姿勢に付勢された状態で設けて、フランジ部を支持部材の下端開口部から挿入することにより、軸受け部が板バネの付勢力に抗して支持ブラケット内面側に接近するように揺動操作されることで、軸受け部をフランジ部が乗り越えると、軸受け部が板バネの付勢力によりフランジ部案内経路側へ突出して支軸の下端を軸受け部にて保持するようになっている（例えば、特許文献１参照。）。
【特許文献１】特開２００２−１７４０８４号公報
【発明の開示】
【発明が解決しようとする課題】
【０００３】
特許文献１のものは、揺動（可動）する軸受け部にて支軸を接当支持する構成であるため、強固に支軸を固定することができず、特にスクリーンにおいてはスクリーンの引き出し操作をスムーズかつ安定よく行うことができないだけでなく、スクリーンの引き出し時において大きな荷重（負荷）が軸受け部に加わることにより、場合によっては軸受け部を損傷させてしまう恐れがあり、実際には重量のあるスクリーンには用いることができないものである。尚、損傷させないためには、支持ブラケット及び軸受け部を大型化する場合が考えられるが、重量のあるスクリーン装置が更に重量の増大化を招き、好ましくないものである。
又、支軸をそれの先端にフランジを備えさせた形状に加工したり、支持部材、軸受け部、板バネなどの多数の部品を支持ブラケットに取り付ける手間がかかるだけでなく、部品点数の増大化によるコストアップを招くことがあり、改善の余地があった。
【０００４】
本発明が前述の状況に鑑み、解決しようとするところは、支持ブラケットに余分な加工を加えることなく、簡素な構成で支軸を確実かつ良好に支持することができるスクリーン装置を提供する点にある。
【課題を解決するための手段】
【０００５】
本発明のスクリーン装置は、前述の課題解決のために、スクリーンを巻き取るための巻取ロールを回転自在に支持するための左右の支軸を一部が該巻取ロールの長手方向両端からそれぞれ突出する状態で設け、前記左右の支軸の突出端を左右一対の支持ブラケットの貫通孔にそれぞれ挿入して支持させ、前記巻取ロールを回転させることにより前記スクリーンを巻取自在及び引き出し自在に構成してなるスクリーン装置において、前記支軸のうちの少なくとも一方を巻取ロール長手方向で移動自在で、かつ、弾性部材にて突出側へ付勢したことを特徴としている。
巻取ロールを支持ブラケットに装着させる場合には、一方の支軸を一方の支持ブラケットの貫通孔に挿入した後、他方の支軸を弾性部材の付勢力に抗して支軸を巻取ロール側へ移動させることによって、他方の支持ブラケットの内面側を支軸の突出端が移動できるようになり、貫通孔の位置に支軸の突出端を位置合わせすることにより弾性部材の付勢力により支軸が突出側へ移動して、支軸の突出端を貫通孔に挿通させることができる。前記左右の両方の支軸を巻取ロール長手方向で移動自在で、かつ、弾性部材にて突出側へ付勢した構成としておけば、最初に挿入する側の支軸を一々確認することが不要になり、巻取ロールを支持ブラケットに装着させる作業を一層迅速に行うことができる。
ことを特徴とする請求項１記載のスクリーン装置。
又、前記一方の支軸の一端側と該支軸の他端側に前記巻取ロールに一体回転可能に備えられた回転体との間にコイルスプリングを配設し、前記コイルスプリングの戻り付勢力を利用して前記巻取ロールを回転させて前記スクリーンを巻取自在に構成し、前記支軸に前記巻取ロールの回転に伴って回転する第２回転体を軸方向に移動させるための螺子部を備えさせ、前記巻取ロールの巻取側への回転により前記螺子部を移動する前記第２回転体に接当して該巻取ロールのスクリーン巻取完了位置を規制するための接当部を前記支軸に備えさせ、前記第２回転体を前記接当部に接当させた状態にすると共に前記コイルスプリングに初巻付勢力を付与した状態において前記回転体と前記第２回転体とに渡って一体回転状態で外装可能で、かつ、前記巻取ロールに一体回転状態で内装可能な筒状体を設けて、スクリーン用巻取ロール機構を構成してもよい。
上記のようにコイルスプリングに初巻付勢力を付与した状態において筒状体を回転体と第２回転体とに渡って一体回転可能に外装することによって、コイルスプリングからの戻り力が回転体を介して筒状体に伝達されることになるが、第２回転体が突出部に接当している状態であるから、第２回転体は回転できない状態にあり、筒状体の回転が第２回転体にて阻止されることになり、コイルスプリングに初巻付勢力を付与した状態を保持することができる。そして、この状態において巻取ロールを装着して支軸の両端を左右の支持ブラケットに支持させることにより、スクリーンの取付作業を完了することができる。前記巻き取られたスクリーンをスプリングの付勢力に抗して下方（水平方向でも斜め方向でもよい）へ引き出すことにより、巻取ロールが回転し、この回転力が筒状体を介して第２回転体に伝達されて、第２回転体が回転しながら接当部に接当する側とは反対側へ移動するのである。
又、前記スクリーン用巻取ロール機構を備えた支軸とは反対側の他方（残り）の支軸の巻取ロール側に、巻取ロール長手方向に長いブレーキ手段を備えさせ、前記ブレーキ手段のケーシングを前記巻取ロール内に移動自在に内嵌し、前記ケーシングを前記弾性部材にて巻取ロール外方側へ移動付勢してもよい。
又、前記弾性部材がコイルスプリングからなり、前記巻取ロールの一端に、該巻取ロール長手方向外方側へ反発力が作用するようにコイルスプリングを受け止めて収容するために外方側が開放された有底筒状の収容部材を備えさせ、前記収容部材に収容されたコイルスプリングの外方側端に接当して該コイルスプリングを圧縮操作する受部と、この受部の外周縁から巻取ロールの内方側へ延出されてコイルスプリングの側部の一部を覆うと共に前記収容部材の側壁部内面に摺接案内される筒状部とからなる可動部材を該収容部材内に備えさせ、前記収容部材の受部の外面に前記支軸を突設してもよい。
又、前記ケーシングが巻取ロール長手方向外方側へ抜けてしまうことを阻止するための抜け止め手段を備えさせてもよい。
【発明の効果】
【０００６】
前記支軸のうちの少なくとも一方を巻取ロール長手方向で移動自在で、かつ、弾性部材にて突出側へ付勢しておく構成とすることによって、弾性部材の付勢力に抗して支軸を巻取ロール側へ移動させて、貫通孔の位置に支軸の突出端を位置合わせするだけで、貫通孔に支軸を迅速に挿入することができるものでありながら、支持ブラケット側に改良を加えることや、多数の部品を取り付けることが不要になり、コストアップを抑えることができる。又、支軸を弾性部材の弾性付勢力に抗して巻取ロール側へ押し込み移動させるだけで、貫通孔から支軸を外すことができ、特にスクリーンの取り替え作業を迅速に行うことができる。しかも、強度的にも最も優れた支持ブラケットの貫通孔に支軸を支持させる構成であるから、支持ブラケットの変形や損傷を招くことがなく、良好に支軸を支持することができる。
【０００７】
巻取ロールのスクリーン巻取完了位置を規制するための接当部に第２回転体を接当させた状態にした状態でコイルスプリングに初巻付勢力を付与してから、筒状体を回転体と第２回転体とに筒状体を装着するだけで、コイルスプリングに初巻付勢力を付与した状態を確実に保持することができ、しかもそのままの状態で使用することができるから、スクリーンの取り付け作業は勿論のこと、取り替え作業を容易迅速に行うことができ、未熟練者であっても容易に作業することができる作業面において有利になる。しかも、不測にコイルスプリングの初巻きが解けることがなく、信頼性の高いスクリーン用巻取ロール機構を提供することができる。
【０００８】
スクリーン用巻取ロール機構を備えた支軸とは反対側の支軸の巻取ロール側に、巻取ロール長手方向に長いブレーキ手段を備えさせ、ブレーキ手段のケーシングを巻取ロール内に移動自在に内嵌し、前記ケーシングを前記弾性部材にて巻取ロール外方側へ移動付勢することによって、支軸を安定良く移動させるための別の摺接案内部材を巻取ロール内に設けることが不要になり、コストアップを抑制することができる。従って、ブレーキ手段のケーシングを巻取ロール内で安定よく摺接移動案内させて支軸を移動させることで、操作性及び作動不良のない商品価値の高いものにすることができる。
前記ケーシングが巻取ロール長手方向外方側へ抜けてしまうことを阻止するための抜け止め手段を備えさせることによって、両端に支軸を備えた巻取ロールを輸送している時や巻取ロールの支軸を左右のブラケットに差し込む時などに支軸が不測に巻取ロールから抜けてしまうことを阻止することができ、取扱面において有利になる。
【０００９】
巻取ロールの一端に、巻取ロール長手方向外方側へ反発力が作用するようにコイルスプリングを受け止めて収容するために外方側が開放された有底筒状の収容部材を備えさせ、収容部材に収容されたコイルスプリングの外方側端に接当してコイルスプリングを圧縮操作する受部とこの受部の外周縁から巻取ロールの内方側へ延出されてコイルスプリングの側部の一部を覆うと共に収容部材の側壁部内面に摺接案内される筒状部とからなる可動部材を該収容部材内に備えさせ、収容部材の受部の外面に支軸を設ける構成とすることによって、支軸の巻取ロール長手方向で移動時において収容部材の側壁部内面に筒状部を摺接案内することができ、該支軸の移動を安定よく行わせて、操作性及び作動不良のない商品価値の高いものにすることができる。
【発明を実施するための最良の形態】
【００１０】
図１に、スクリーン装置を示し、そのスクリーン装置を構成する巻取ロール６に巻き取られた映写用のスクリーン１を下方に引き出してプロジェクターなどからの映像を映し出し可能となる使用姿勢に姿勢変更した状態を示している（図では、正面視において左側のみ図示している）。図１に示す２は、２点鎖線で示すケーシング４内へ巻取収納される前記スクリーン１の巻取位置をケーシング４の開口に接当することで規制するためのバーであり、それの左右方向ほぼ中央に取っ手３を取り付けている。尚、スクリーン１の巻取位置の規制は、前記バー２にて補助的に行うものであり、実際には後述する第２回転体１０にて行うことになり、ケーシング４の開口にバー２が接当する直前で停止するようにしてもよい。従って、前記ケーシング４を省略して実施することもできる。ここでは、壁にスクリーン装置を固定したものを示しているが、天井にスクリーン装置を固定して実施してもよい。
【００１１】
前記スクリーン装置は、図１及び図２（ａ），（ｂ）に示すように、左右方向に長いケーシング４内の長手方向両端部にビス（溶接などでもよい）により固定された左右一対の支持ブラケット５，５と、スクリーン１を巻き取ったり引き出すことができる円筒状で金属製（金属とほぼ同等の強度を有するプラスチック製であってもよい）の前記巻取ロール６と、この巻取ロール６を回転自在に支持するために該巻取ロール６の両端から外方側へ一部が突出した左右一対の支軸７Ａ，７Ｂとを備え、前記支持ブラケット５，５に形成の貫通孔５Ａ，５Ａに支持ブラケット５，５を取り外すことなく前記支軸７Ａ，７Ｂを挿入することができるように構成されている。
【００１２】
前記一方（正面視において左側）の支軸７Ａについて説明すれば、図２（ａ），（ｂ）に示すように、前記円筒状の巻取ロール６の一端に、端部開口を閉じると共に取付用凹部１７Ａを形成するための有底筒状の端部キャップ１７を内嵌し、この端部キャップ１７の凹部１７Ａ内に一部が外方側に突出する状態で外方側が開放された有底筒状の収容部材１８を内嵌し、この収容部材１８内に弾性部材としてのコイルスプリング１９を巻取ロール長手方向外方側へ反発力が作用するように収容している。前記収容部材１８に収容されたコイルスプリング１９の外方側端に接当して該コイルスプリング１９を圧縮操作する円板状の受部２０と、この受部２０の外周縁から巻取ロール６の内方側へ延出されてコイルスプリング１９の側部の一部を覆うと共に前記収容部材１８の側壁部内面１８Ａに摺接案内される筒状部２１とからなる可動部材２３を収容部材１８内に備えさせ、前記収容部材１８の受部２０の外面に角型で棒状の前記支軸７Ａの一端を連結している。図に示す２４は、収容部材１８の突出部側面に形成の螺子部に螺合する螺子部が内面に備えた蓋体であり、受部２０が収容部材１８の外方側へ移動することを接当阻止するようにしているが、省略してもよい。
又、他方（正面視において右側）の支軸７Ｂについて説明すれば、図２（ａ），（ｂ）に示すように、前記円筒状の巻取ロール６の他端に、中心部に支軸７Ｂを嵌合支持するための貫通孔２５Ａが形成されると共に端部開口を閉じるための外形が円形の端部キャップ２５を内嵌し、この端部キャップ２５の貫通孔２５Ａに支軸７Ｂをそれの一部が巻取ロール６の外方側へ突出する状態で貫通固着している。尚、図に示す各種の部品は、金属又は金属とほぼ同等の強度を有するプラスチックなど、どのような材料で構成してもよい。
従って、左右一対の支軸７Ａ，７Ｂを支持ブラケット５，５の貫通孔５Ａ，５Ａに貫通支持させるためには、まず右側の支軸７Ｂを右側の支持ブラケット５の貫通孔５Ａに挿通させる。次に、左側の支軸７Ａをコイルスプリング１９の弾性付勢力に抗して指により押し込み操作した状態で左側の支持ブラケット５の貫通孔５Ａの位置まで移動させてから（図２（ｂ）参照）、支軸７Ａから指を離すことで弾性付勢力により支軸７Ａが突出側へ移動し、貫通孔５Ａに支軸７Ａが挿入されるのである（図２（ａ）参照）。尚、支軸７Ａ，７Ｂを支持ブラケット５，５から取り外す場合には、左側の支軸７Ａを押し込み操作して貫通孔５Ａから離脱させた状態で支持ブラケット５側から離すと共に右側の支軸７Ｂを貫通孔５Ａから引き抜いて巻取ロール６を支持ブラケット５，５から取り外すことができる。尚、左右一対の支軸７Ａ，７Ｂの両方とも左側の支軸７Ａで構成して実施することもできる。
図１及び図２（ａ），（ｂ）のものは、スクリーン１を巻取ロール６から引き出す場合は勿論のこと、巻き取る場合も手動にて操作するものを示しているが、図３〜図５（ａ），（ｂ）で示しているように、巻き取り時にはコイルスプリング１９の戻り付勢力により巻取ロール６を駆動回転させて巻き取ることができるようにしてもよいし、電動モータなどの電動力を用いてスクリーン１の引き出し及び巻き取りのいずれも行わせるように構成してもよい。
【００１３】
図３〜図６には、他の構成のスクリーン装置の要部を示しており、それについて説明すれば、前記スクリーン１を巻き取るための円筒状で金属製（金属とほぼ同等の強度を有するプラスチック製であってもよい）の巻取ロール６の両端から外方側に突出する左右の支軸７Ａ，７Ｂのうちの一方（左側）の支軸７Ａに、スクリーン用巻取ロール機構Ａを備え、他方（右側）の支軸７Ｂにスクリーン１の巻き上げをゆっくり行わせるためのブレーキ手段が備えられたケーシングＫを備えている。
【００１４】
図３及び図６に示すように、前記左側の支軸７Ａの一端側と該支軸７Ａの他端側に前記巻取ロール６に一体回転可能に備えられた円筒状でプラスチック製（金属などの他の材料でもよい）の回転体８との間に金属製（金属とほぼ同等の強度を有するプラスチック製であってもよい）のコイルスプリング９を配設し、前記コイルスプリング９の戻り付勢力を利用して前記巻取ロール６を駆動回転させて前記スクリーン１を巻取自在に構成している。図３に示すＳは、スクリーン１を引き出す引き出し方向にのみ巻取ロール６を回転自在とする一方向クラッチであるが、別のストップ機構を取り付けた場合は、一方向クラッチを省略してもよい。前記一方向クラッチＳは、巻取ロール長手方向に長いほぼ円柱状のものを示しているが、他の形状のものであってもよい。
そして、前記支軸７Ａの他端側に前記巻取ロール６の回転に伴って回転する円盤状でプラスチック製（金属とほぼ同等の強度を有するプラスチック製であってもよい）の第２回転体１０を軸方向に移動させるための螺子部１１を一体形成し（別体形成した螺子部を支軸７Ａに外嵌固着してもよい）、前記巻取ロール６の巻取側への回転により前記螺子部１１を移動する前記第２回転体１０に接当して該巻取ロール６のスクリーン巻取完了位置を規制するための接当部としてのダブルナット１２を前記支軸７Ａの螺子部１１に螺合して備えさせ、前記支軸７Ａの他端にプラスチック製（金属などの他の材料でもよい）の端部キャップ１３を回転自在に備えさせ、前記第２回転体１０を前記接当部１２に接当させた状態にすると共に前記コイルスプリングに初巻付勢力を付与した状態において前記回転体８と前記第２回転体１０と端部キャップ１３とに渡って一体回転可能に外装し、かつ、前記巻取ロール６に一体回転可能に内装する円筒状で金属製の（金属とほぼ同等の強度を有するプラスチック製であってもよい）筒状体１４を設けて、前記スクリーン用巻取ロール機構Ａを構成している。
【００１５】
図４にも示すように、前記筒状体１４は、ほぼ同一外径を有する３つの部品、つまり前記回転体８、前記第２回転体１０、前記端部キャップ１３よりも大きな外径寸法を有すると共に、それの内面にそれら３つの部材８，１０，１３の外周面に接触して筒状体１４を外装したときの姿勢を所定姿勢に保持するための内方側に突出すると共に軸方向に長い形状の受け部１５の多数を周方向に所定間隔を置いて設け、更に、それら特定の２つの受け部１５，１５間に位置させて内方側に突出すると共に軸方向に長い板状の突起部１６を該筒状体１４の内面に備えさせている。そして、支軸７Ａに備えている前記回転体８、第２回転体１０、端部キャップ１３に軸方向から前記筒状体１４を移動させて外装させることにより、該筒状体１４の突起部１６と係合して両者を回転可能とするための被係合部としての軸方向に沿う長溝８Ａ，１０Ａ，１３Ａを、該回転体８、第２回転体１０、端部キャップ１３に備えさせている。尚、前記端部キャップ１３には、長溝１３Ａを形成せずに筒状体１４を端部キャップ１３に外装しなくてもよい。ここで言う外装とは、筒状体１４の多数の受け部１５が３つの部材８，１０，１３の外周面に接触して隙間のない状態で被せた場合（外嵌するという）を示しているが、筒状体１４の多数の受け部１５が３つの部材８，１０，１３の外周面に接触しないで多少隙間を持たせた状態で被せた状態であってもよい。前記筒状体１４の外側面に、軸方向に沿う凹部１４Ａを形成してあり、ケーシング４を筒状体１４に外嵌することにより、該ケーシング４の内面に内方側へ突出し、かつ、軸方向に沿って形成された凸部４Ａが前記筒状体１４の凹部１４Ａに係合し、ケーシング４の回転に伴って筒状体１４が一体回転するようになっている。そして、筒状体１４が回転することにより、回転体８、第２回転体１０、端部キャップ１３が一体回転し、第２回転体１０が回転しながら螺子部１１により軸方向に移動することになるのである。
【００１６】
前記スクリーン用巻取ロール機構Ａを組み立てる手順について説明すれば、まず、支軸７Ａの一端側にコイルスプリング９の一端を貫通止着し、他端を支軸７Ａの他端側に備えた回転体８に形成の一対の溝８Ｍ，８Ｍに係止保持させると共に、前記各部品Ｋ、１０、１２、１３を支軸７Ａにそれぞれ備えさせると同時に筒状体１４を支軸７Ａに挿通させた状態としておく（図３参照）。前記第２回転体１０がダブルナット１２に接当している状態を確認し、接当していない場合には、第２回転体１０を回転させてダブルナット１２に接当させておく。この状態において、支軸７Ａを固定した状態（非回転状態）で回転体８を所定の方向（図３のＨ方向）に所定回数回転させることによりコイルスプリング９に初巻付勢力を付与し、この付与した状態を維持したまま筒状体１４を回転体８、第２回転体１０、端部キャップ１３に外装（外挿）しながら、筒状体１４の突起部１６を長溝８Ａ，１０Ａ，１３Ａに係合させることにより、コイルスプリング９の戻り力により筒状体１４を回転しようとするが、第２回転体１０がダブルナット１２に接当して回転することができないため、筒状体１４の回転が阻止され、コイルスプリングを初巻きした状態を保持できるようになっている。尚、前記筒状体１４を回転体８、第２回転体１０、端部キャップ１３の順に外装（外挿）していくと、端部キャップ１３の端部の側面に突出形成されたフランジ部１３Ｆの端面に筒状体１４の端面が接当して筒状体１４の外装が完了するのである。次に、筒状体１４が外装された後、巻取ロール６を図３に示すように外装（外挿）することによって、スクリーン１の引き出しによる巻取ロール６の回転に伴って筒状体１４、回転体１０、第２回転体１０、端部キャップ１３が一体回転可能となり、スクリーン用巻取ロール機構の組み立てが完了するのである。尚、巻取ロール６の外装（外挿）する方向を、図３に示す方向とは逆の方向にしてもよい。そして、このように組み立てられたスクリーン用巻取ロール機構にスクリーン１を巻き付けてから、前記支持ブラケット５に取り付けることになる。前記回転体８をＨ方向と逆方向に回転させるようにしてもよいが、この場合には第２回転体１０とダブルナット１２の位置関係を左右逆にすることになる。
【００１７】
前記のように組み立てられたスクリーン用巻取ロール機構の支軸を前記支持ブラケット５に支持させてから、コイルスプリング９の初巻付勢力に抗してスクリーン１を引き出すことにより、前述のように巻取ロール６、筒状体１４、回転体１０、第２回転体１０、端部キャップ１３が回転し、コイルスプリング９を捻って巻き取り付勢力を増大させながら、引き出し操作を止めることにより、図示していないストップ機構によりその位置で停止する。この後、巻き取るためにストップ機構を解除することによりコイルスプリング９の付勢力により回転体１０、第２回転体１０、端部キャップ１３、筒状体１４、巻取ロール６を回転させてスクリーン１を巻き取り、第２回転体１０がダブルナット１２に接当することにより、スクリーン１の巻き取りが完了するようになっている。
又、前記スクリーン１を例えば素材の異なる別のスクリーン１に取り替えたい場合には、スクリーン１が巻き取られた前記スクリーン用巻取ロール機構を支持ブラケット５から取り外し、別のスクリーン１が巻き取られたスクリーン用巻取ロール機構を支持ブラケット５に取り付けるだけで取り替え作業を完了することができる。
【００１８】
図５（ａ），（ｂ）に示すように、前記右側の支軸７Ｂに外嵌された前記ブレーキ手段のケーシングＫを巻取ロール長手方向に移動可能な状態で収納すると共に該ケーシングＫを外方側へ突出付勢するためのコイルスプリング２６を収納することができる大きさを有する有底筒状の収納部材２７を巻取ロール６に内嵌し、この収納部材２７内に前記コイルスプリング２６を巻取ロール長手方向外方側へ反発力が作用するように収納部材２７の底板部２７Ａに一端が接当する状態で備えさせ、このコイルスプリング２６の他端に前記ケーシングＫの一端が接当する状態で該ケーシングＫを前記収納部材２７に内挿している。前記ケーシングＫには、化粧用の円筒状のカバー部材２８が外嵌されているが、無くてもよい。このカバー部材２８の巻取ロール６の内方側端部をケーシングＫの端部よりも内方側へ延出させてコイルスプリング２６の一部を収納可能な収納部を構成して、コイルスプリング２６がスムーズに伸縮作動することができるようになっている。
このように構成することによって、右側の支軸７Ｂをコイルスプリング２６の弾性付勢力に抗して図５（ｂ）に示すように左側へ移動させることによって、前述同様に右側の支持ブラケット５の貫通孔５Ａに挿入することができるように構成している。前記支軸７Ｂの移動時には、巻取ロール方向に長いブレーキ手段のケーシングＫが摺接案内部材となり、支軸７Ｂの移動がスムーズに行われるのである。
【００１９】
前記一方の支軸７Ａ（図では左側であるが右側又は左右両側であってもよい）を、図７（ａ），（ｂ）に示すように構成してもよい。つまり、ブラケット側端面（遊端側端面）の外周縁に、巻取ロール６側ほど外方に位置し、かつ、ブラケット５の肉厚よりも大きな形成幅（巻取ロール６側端からブラケット側端までの寸法）を有するテーパ面（傾斜面）７ａを形成し、ブラケット５の貫通孔５Ａに前記テーパ面７ａが接触する程度に支軸７Ａを押し込む（図７（ｂ）参照）だけでテーパ面７ａを利用して支軸７Ａを抜く方向（図では下方）へスライドさせることができるようにしている。図７に示す説明しなかった他の部品の構成は、図２のものと同一であるが、他の構成であってもよい。
【００２０】
また、前記一方の支軸７Ａ（図では左側であるが右側又は左右両側であってもよい）を、図８（ａ），（ｂ）に示すように構成してもよい。つまり支軸７Ａを、前記貫通孔５Ａに貫通支持される先端部とブラケット５の内面に接当可能な段部７Ｄを有しかつ先端部よりも太い直径を有する基端部とからなる二重軸構造に構成している。従って、図８（ｂ）に示すように、巻取ロール６を左側のブラケット５側へ移動させることによって、右側の支軸７Ｂを右側のブラケット５の貫通孔５Ａから抜き取ってから、左側の支軸７Ａを左側のブラケット５から抜き取って巻取ロール６を取り外すことができるようにしている。図８に示す説明しなかった他の部品の構成は、図２のものと同一であるが、他の構成であってもよい。
【００２１】
図５で示した前記カバー部材２８を、図９及び図１０（ａ），（ｂ）に示すように構成してもよい。尚、図５では左側の支軸７Ｂについて示しているが、図９及び図１０（ａ），（ｂ）では右側の支軸７Ａについて説明し、左右どちらの支軸７Ａ，７Ｂであってもよい。図５では、カバー部材２８を円筒状のものから構成したが、図９及び図１０（ａ），（ｂ）では長手方向一端にのみ開口が形成された有底円筒状のものから構成し、このカバー部材２８に左側の支軸７Ａを備えたケーシングＫを内嵌してから、前記収納部材２７に内挿し、該収納部材２７の底板部に形成の貫通孔２７Ａを通した抜け止め手段としてのビス２９（場合によっては無くてもよい）の先端螺子部をカバー部材２８の底板部に形成の螺合部２８Ａに螺合し、コイルスプリング２６を収納部材２７の底板部の内面とカバー部材２８の底板部の外面との間に配置することによって、図１０（ａ）に示すように、支軸７Ａを巻取ロール６の外方側へ突出付勢し、又、支軸７Ａ又はケーシングＫを巻取ロール６の内方側へコイルスプリング２６の弾性付勢力に抗して押し込み操作することによって、図１０（ｂ）に示すように、支軸７Ａを巻取ロール６の内方側へ移動させることができるように構成している。
又、前記ビス２９を省略する代わりに、図１１及び１２（ａ），（ｂ）に示すように、前記収納部材２７にそれの長手方向に沿う長孔２７Ｂを円周方向２箇所（１箇所又は３箇所以上でもよい）に形成し、それら長孔２７Ｂ，２７Ｂを通して挿入される抜け止め手段としてのビス３０，３０を螺合可能な螺合部を前記カバー部材２８の円周方向２箇所に形成して、カバー部材２８の移動を長孔２７Ｂ，２７Ｂにて規制するようにしている。従って、図１２（ａ）に示すように、前記同様に収納部材２７の底板部の内面とカバー部材２８の底板部の外面との間に配置されたコイルスプリング２６の弾性付勢力により、支軸７Ａを巻取ロール６の外方側へ突出付勢し、又、支軸７Ａ又はケーシングＫを巻取ロール６の内方側へコイルスプリング２６の弾性付勢力に抗して押し込み操作することによって、図１２（ｂ）に示すように、支軸７Ａを巻取ロール６の内方側へ移動させることができるように構成している。尚、前記ケーシングＫの形状が図５のものと図９〜図１２のものとで異なっているが、ケーシングＫの形状はこれら以外の形状であってもよい。前記のようにビス２９又は３０を、前記ケーシングＫが巻取ロール長手方向外方側へ抜けてしまうことを阻止するための抜け止め手段と称しているが、ビス（ねじ）以外のもの、係止により連結する係止具などであってもよい。
【産業上の利用可能性】
【００２２】
本発明のスクリーン用巻取ロール機構は、スクリーンを取り替える必要性のある映写用のスクリーンにおいて特に有効であるが、遮光したり、断熱する場合に用いるスクリーンなどにおいても適応することができる。
【図面の簡単な説明】
【００２３】
【図１】スクリーンを引き出した状態のスクリーン装置の左側の概略斜視図である。
【図２】（ａ）は左右の支持ブラケットに巻取ロールの両支軸を挿通した状態を示す断面図、（ｂ）は左側の支持ブラケットに巻取ロールの左側の支軸が挿通する直前の状態を示す断面図である。
【図３】スクリーン用巻取ロール機構を組み立てる直前の状態を示す斜視図である。
【図４】スクリーン用巻取ロール機構の要部を示す斜視図である。
【図５】ブレーキ手段のケーシングが装着された右側の支軸の内部構造を示す断面図であり、（ａ）は支軸が外部側へ突出している状態を示し、（ｂ）は支軸をコイルスプリングの弾性付勢力に抗して内方側へ押し込んだ状態を示している。
【図６】スクリーン用巻取ロール機構とブレーキ手段のケーシングとが左右の支軸にそれぞれ備えられた巻取ロールの斜視図である。
【図７】（ａ）は左側の支持ブラケットに別の構成の左側の支軸を挿通した状態を示す要部の断面図、（ｂ）は左側の支持ブラケットから左側の支軸を抜き取る直前の状態を示す要部の断面図である。
【図８】（ａ）は左右の支持ブラケットに巻取ロールの別の構成の両支軸を挿通した状態を示す断面図、（ｂ）は（ａ）において右側の支持ブラケットから右側の支軸を抜き取った状態を示す断面図である。
【図９】ブレーキ手段のケーシングを収納部材に装着する直前の左側の他の内部構造を示す分解斜視図である。
【図１０】図９で示したブレーキ手段のケーシングが収納部材に装着された左側の内部構造を示す断面図であり、（ａ）は支軸が外部側へ突出している状態を示し、（ｂ）は支軸をコイルスプリングの弾性付勢力に抗して内方側へ押し込んだ状態を示している。
【図１１】ブレーキ手段のケーシングを収納部材に装着する直前の左側の他の内部構造を示す分解斜視図である。
【図１２】図１１で示したブレーキ手段のケーシングが収納部材に装着された左側の内部構造を示す断面図であり、（ａ）は支軸が外部側へ突出している状態を示し、（ｂ）は支軸をコイルスプリングの弾性付勢力に抗して内方側へ押し込んだ状態を示している。
【符号の説明】
【００２４】
１  スクリーン
２  バー
３  取っ手
４  ケーシング
４Ａ  凸部
５  支持ブラケット
５Ａ  貫通孔
６  巻取ロール
７Ａ，７Ｂ  支軸
８  回転体
８Ｍ  溝
８Ａ，１０Ａ，１３Ａ  長溝
９  コイルスプリング
１０  第２回転体
１１  螺子部
１２  ダブルナット（接当部）
１３Ｆ  フランジ部
１３  端部キャップ
１３Ａ  長溝
１４Ａ  凹部
１４  筒状体
１５  受け部
１６  突起部
１７Ａ  取付用凹部
１７  端部キャップ
１８Ａ  側壁部内面
１８  収容部材
１９  コイルスプリング
２０  受部
２１  筒状部
２３  受部
２３  可動部材
２４  蓋体
２５  端部キャップ
２５Ａ  貫通孔
２６  コイルスプリング
２７  収納部材
２７Ａ  底板部
２７Ｂ  貫通孔
２８  カバー部材
２９，３０  ビス
Ａ  スクリーン用巻取ロール機構
Ｋ  ケーシング
Ｓ  一方向クラッチ
【図１】
2005157158.tif 000003
【図２】
2005157158.tif 000004
【図３】
2005157158.tif 000005
【図４】
2005157158.tif 000006
【図５】
2005157158.tif 000007
【図６】
2005157158.tif 000008
【図７】
2005157158.tif 000009
【図８】
2005157158.tif 000010
【図９】
2005157158.tif 000011
【図１０】
2005157158.tif 000012
【図１１】
2005157158.tif 000013
【図１２】
2005157158.tif 000014